(57)【要約】【課題】天板、側板、妻板を含む展開紙をパーツ毎に分割することで、その加工時の取り扱いを容易にし、展開紙の組立作業を簡単にして天板各辺の連結角部における精度および強度を良好に保つ。【解決手段】蓋１３の展開紙Ｐ1は、天板１３Ａの横方向両側に縦Ｖ溝ｙ1を隔てて側板１３Ｂ，１３Ｂが設けられ、縦方向両側に横Ｖ溝ｘ1を隔てて妻板１３Ｃ，１３Ｃが設けられる。天板１３Ａは、その各辺からその板面内向きに一定の板幅で連なる縦枠片１３Ａｙ，１３Ａｙと、横枠片１３Ａｘ，１３Ａｘと、これらの枠体に連結される中蓋片１３Ａｚとに分割して形成される。縦枠片１３Ａｙと横枠片１３Ａｘの両端には天板１３Ａの板面角部を分断する鋭角端面ｆが形成され、展開紙Ｐ1の組立時には、縦枠片１３Ａｙと横枠片１３Ａｘとを同一平面上に保って互いの鋭角端面ｆ同士を連結することにより枠体を組む。【選択図】図４
2008161605.tif 000002
【特許請求の範囲】
【請求項１】
天板、側板および妻板を含む展開紙を、各板の境界に形成されるＶ溝に沿って折り曲げることにより箱状に組み立てるようにした段ボール棺において、
前記展開紙は、天板と、この天板の横方向両側に縦Ｖ溝を隔てて設けられる側板と、前記天板の縦方向両側に横Ｖ溝を隔てて設けられる妻板とを備え、
前記天板は、
前記天板の横方向両側の各辺からその板面内向きに一定の板幅で連なる縦枠片と、
前記天板の縦方向両側の各辺からその板面内向きに一定の板幅で連なる横枠片と、
前記縦枠片および前記横枠片からなる枠体に連結される中蓋片とからなり、
前記縦枠片と前記横枠片の両端には、前記天板の板面角部を分断する鋭角端面が形成されて、前記展開紙の組立時には、前記縦枠片と前記横枠片とを同一平面上に保って互いの鋭角端面同士を連結することにより前記枠体を組むようにしたことを特徴とする段ボール棺。
【請求項２】
請求項１記載の段ボール棺の天板構造であって、前記横枠片および前記縦枠片からなる枠体の板幅が一定幅になるように設定される、段ボール棺の天板構造。
【請求項３】
請求項２記載の段ボール棺の天板構造であって、前記展開紙の組立時における前記側板と前記妻板との連結面が、前記天板の平面方向から観て前記縦枠片と前記横枠片との鋭角端面同士の連結面と同一平面上に一致する、段ボール棺の天板構造。
【請求項４】
請求項１〜３のいずれか一項記載の段ボール棺の天板構造であって、前記縦枠片および前記横枠片からなる前記枠体の上面に、前記中蓋片の下面が連結される、段ボール棺の天板構造。
【請求項５】
請求項１〜４のいずれか一項記載の天板構造を備えた段ボール棺。
【発明の詳細な説明】
【技術分野】
【０００１】
本発明は、段ボール棺に関するもので、詳しくは、段ボール棺の展開紙における天板構造に関するものである。
【背景技術】
【０００２】
近年、木製棺に代わる素材として段ボール棺が注目されている。この種の段ボール棺は、木製棺に比べ軽く燃焼性に優れ、段ボール材からなる展開紙を折り曲げ加工することによって簡単に組み立てることができるという利点を有している。
【０００３】
従来の段ボール棺の一例を図１６および図１７に示した。
段ボール棺１は、箱状の棺本体２と蓋３とが厚手の強化段ボール材により形成される。棺本体２の上端に、覗き窓Ｓを有する蓋３が開放可能に載置される。蓋３は、天板３Ａ、と、側板３Ｂ，３Ｂと、妻板３Ｃ，３Ｃとを有し、側板３Ｂ，３Ｂと妻板３Ｃ，３Ｃの板面には面取り部３ｎが形成されている。
図１７に示すように、蓋３の展開紙Ｐ0は、矩形の天板３Ａの横方向両側に側板３Ｂ，３Ｂが設けられ、天板３Ａの縦方向両側に妻板３Ｃ，３Ｃが設けられる。天板３Ａと側板３Ｂとの境界、および側板３Ｂの面取り部３ｎを区切る境界には、ほぼ４５゜角でＶ字状にカットされた縦Ｖ溝ｙ1、ｙ2が形成される。また、天板３Ａと妻板３Ｃとの境界、および妻板３Ｃの面取り部３ｎを区切る境界には、同様にほぼ４５゜角でＶ字状にカットされた横Ｖ溝ｘ1、ｘ2が形成される。展開紙Ｐ0の組み立て時には、天板３Ａに対して縦Ｖ溝ｙ1、ｙ2および横Ｖ溝ｘ1、ｘ2に沿って側板３Ｂと妻板３Ｃを箱状に折り曲げて図１６に示す蓋３を組み立てる。
【０００４】
側板３Ｂおよび妻板３Ｃの開口端部には、図１７に示すように、蓋３の強度を高めるための折返し部３ｍが設けられる。この折返し部３ｍは、展開紙Ｐ0の側板３Ｂ，３Ｂおよび妻板３Ｃ，３Ｃの端部に一定幅の紙片をＷ溝（ほぼ９０゜角でＶ字状にカットされたＶ溝を２列に並設して形成した溝）に沿って折り返して形成する。
なお、上記に関連する従来の段ボール棺に関する先行技術としては、特許文献１および２が開示されている。
【０００５】
【特許文献１】特開平９−２７６３４６号公報
【特許文献２】実用新案登録第３０３６０２７号公報
【発明の開示】
【発明が解決しようとする課題】
【０００６】
しかしながら、このような従来の段ボール棺は、単一の展開紙Ｐ0に天板３Ａ、側板３Ｂおよび妻板３Ｃを一体的に設けるため、展開紙Ｐ0のサイズが大きくなる。このため、展開紙Ｐ0を作製するための段ボール板を取り扱いにくく、通常の切削機ではその加工作業が煩雑になる。特に、図１７に示す従来の展開紙Ｐ0では、一枚の段ボール板に縦横方向に連なる複数のＶ溝およびＷ溝を正確な位置に切削加工することが必要で、展開紙Ｐ0の作製のために専用の大型機械の導入を強いられることもある。
【０００７】
これに対し、展開紙Ｐ0の天板３Ａ、側板３Ｂ、妻板３Ｃをそれぞれ分離してそれぞれ別個のパーツに分けて作製し、これらの端面を貼り合わせて蓋３を完成させることも考えられる。ところが、このような製法では、天板３Ａの各辺端面に側板３Ｂおよび妻板３の各端面を互いに正確に位置合わせして連結しなければならず、その組み立て作業が面倒になる。また、天板各辺の連結角部において寸法精度を出しにくく、また、連結角部の強度が低下しやすくなる。
【０００８】
本発明は、このような現状に鑑みなされたもので、天板、側板、妻板を含む展開紙をパーツ毎に分割することでその加工時の取り扱いを容易にし、しかも、展開紙の組立作業が簡単で、天板各辺の連結角部における精度および強度を良好に保てるようにした段ボール棺の天板構造を提供することを目的としている。
【課題を解決するための手段】
【０００９】
［第１発明］
前記課題を解決するための本発明の段ボール棺の天板構造は、
天板、側板および妻板を含む展開紙を、各板の境界に形成されるＶ溝に沿って折り曲げることにより箱状に組み立てるようにした段ボール棺において、
前記展開紙は、天板と、この天板の横方向両側に縦Ｖ溝を隔てて設けられる側板と、前記天板の縦方向両側に横Ｖ溝を隔てて設けられる妻板とを備え、
前記天板は、
前記天板の横方向両側の各辺からその板面内向きに一定の板幅で連なる縦枠片と、
前記天板の縦方向両側の各辺からその板面内向きに一定の板幅で連なる横枠片と、
前記縦枠片および前記横枠片からなる枠体に連結される中蓋片とからなり、
前記縦枠片と前記横枠片の両端には、前記天板の板面角部を分断する鋭角端面が形成されて、前記展開紙の組立時には、前記縦枠片と前記横枠片とを同一平面上に保って互いの鋭角端面同士を連結することにより前記枠体を組むように構成した。
【００１０】
このような構成によれば、段ボール棺を構成する展開紙が、天板の縦枠片および側板を含むパーツと、天板の横枠片および妻板を含むパーツと、中蓋片を含むパーツとに分割される。このため、展開紙を作製する場合には、これらの各パーツ毎に段ボール板を切削加工することができ、その加工時の取り扱いを容易にすることができる。
【００１１】
また、展開紙の組立時には、縦枠片と横枠片を含む各パーツを同一平面上に置いて、これらの鋭角端面同士を連結して枠体を組み、この枠体の内側に中蓋片を連結すれば、各パーツを簡単に合体させることができる。このため、従来の展開紙と同様に、展開紙の各板を折り曲げて簡単に箱状の段ボール棺を組み立てることができる。
【００１２】
さらに、本発明の構成では、展開紙の天板の四辺に側板および妻板を縦Ｖ溝および横Ｖ溝で折り曲げて連結するため、各板の端面を簡単かつ正確に位置合わせすることができる。この結果、天板各辺の連結角部の寸法精度および強度を良好に保つことができる。
【００１３】
すなわち、本発明は、折り曲げ加工に適した段ボール材の特性を生かしつつ、展開紙の天板を連結容易な小パーツに分割することで展開紙の加工時の取り扱いを極めて簡単に行えるようにしたものである。この結果、段ボール棺を作製する場合に、専用の大型機械を導入しなくとも、小型の切削加工機で手軽にかつ正確にその展開紙を作製することが可能になる。
【００１４】
［第２発明］
第２発明による段ボール棺の天板構造は、第１発明の構成を備えるものであって、前記横枠片および前記縦枠片からなる枠体の板幅が一定幅になるように設定される構成とした。
【００１５】
このような構成によれば、展開紙のパーツのうち、縦枠片および側板を含むパーツと、横枠片および妻板を含む枠片パーツとについてその板幅とＶ溝の位置が一致する。このため、同一幅の段ボール板を用いて、この段ボール板の長さ方向に一定幅でＶ溝加工を施すことで、上記パーツを高い寸法精度で簡単に作製することができる。
【００１６】
［第３発明］
第３発明による段ボール棺の天板構造は、第２発明の構成を備えるものであって、前記展開紙の組立時における前記側板と前記妻板との連結面が、前記天板の平面方向から観て前記縦枠片と前記横枠片との鋭角端面同士の連結面と同一平面上に一致するように構成した。
【００１７】
図１７に示すように、側板３Ｂおよび妻板３Ｃに面取り部３ｎを有する従来の展開紙Ｐ0では、四隅部分Ｋ0の形状が複雑になり、その加工作業が面倒になる。具体的には、天板３Ａを囲む縦Ｖ溝ｙ1，ｙ1と横Ｖ溝ｘ1，ｘ1とを、各Ｖ溝の交差部分で外側にはみ出させることなく正確な位置で止めた上で、隣り合う面取り部３ｎ，３ｎ間に鋭角的な切り込みを形成し、さらに、面取り部３ｎ，３ｎの繋ぎ目にそれぞれ異なる方向の傾斜面を形成することが必要になる。このため、実際の現場では、切削機による加工で段ボール板の四隅部分Ｋ0を仕上げるのが困難で、手作業に頼っているのが現状である。
【００１８】
第３発明の構成によれば、展開紙のパーツの作製時に、一定の板幅の段ボール板をＶ溝に沿って折り曲げた状態で、この折曲片の天板部分を上に向け、天板の板面角部を分断する角度を保って垂直に切断すれば、この切断面が展開紙における四隅部分の端面になる。このため、面取り部３ｎを有する展開紙Ｐ0の四隅部分における各板の端面を極めて簡単に仕上げることができる。
【００１９】
［第４発明］
第４発明による段ボール棺の天板構造は、第１〜３発明のいずれか一の構成を備えるものであって、前記縦枠片および前記横枠片からなる前記枠体の上面に、前記中蓋片の下面が連結される構成とした。
【００２０】
第１発明の構成において、縦枠片および横枠片からなる枠体の内側端面に中蓋片を連結する場合、その連結方向が天板の板面に平行になるため、天板の上下方向の負荷に対して中蓋片の連結強度を十分に確保しにくい。
第４発明の構成によれば、枠体（縦枠片と横枠片）の上面に中蓋片の下面が連結されるため、枠体の内側端面に中蓋片を連結する場合に比べ、その連結強度が大幅に増す。このため、中蓋片を好みの形状に変更して、天板に立体的な複雑形状を採用することも可能になる。
【００２１】
［第１〜４発明］
第１〜４発明は、天板、側板および妻板を含む展開紙を箱状に折り曲げて箱体を形成する段ボール棺に適用することができる。棺本体と蓋とを組み合わせる段ボール棺では、通常は、Ｖ溝の数が多くなる蓋側に本発明を適用されることが想定されるが、必要に応じて、段ボール棺の棺本体に本発明を適用してもよい。また、段ボール棺の用途（人用、ペット用等）や種類（寝棺、座棺等）は、特に限定されることはない。
【００２２】
なお、第１〜４発明は、単独で適用してもよいし、これらの発明を必要に応じて組み合わせて適用することもできる。また、第１〜４発明に本明細書に記載される他の発明を組み合わせてもよい。
【発明を実施するための最良の形態】
【００２３】
以下、本発明の実施形態を図面に基づいて説明する。本実施形態は、段ボール棺の蓋に本発明を適用したものである。
【００２４】
［第１実施形態］
第１実施形態の段ボール棺を図１〜図７に示した。
図１および図２に示すように、段ボール棺１０は、箱状の棺本体１２と蓋１３とからなる。棺本体１２および蓋１３は、厚手の強化段ボール材からなるもので、蓋１３の上端に、矩形の覗き窓Ｓを有する蓋１３が開放可能に載置される。覗き窓Ｓには、図２の二点鎖線に示す窓蓋１５が嵌められ、この窓蓋１５を開放することで棺の内部が覗けるようになっている。
【００２５】
段ボール棺１０の寸法としては、例えば長さが１７０〜２００ｃｍ程度、幅が５０〜７０ｃｍ程度、棺本体１２と蓋１３を含めた高さが４０〜５０ｃｍ程度に形成される。
図１の状態では、段ボール棺１０の紙面がむき出しになっているが、仕上げの段階で棺本体１２および蓋１３の表面に布張りなどの装飾材が施され、これらの紙面が装飾材で覆われる。
【００２６】
段ボール棺１０を作製するための段ボール板には、三層強化段ボール材（例えばトライウォール社製）が使用される。この種の段ボール板は、図２のＲ部分拡大図に示すように、２枚の厚板（ライナー）Ｒf，Ｒbとの間に、３層の波板ｒ1〜ｒ3が仕切り板ｒ4およびｒ5を介して積層されてなり、優れた耐圧性・耐水性をもつ。段ボール板に折り曲げ用のＶ溝またはＷ溝を形成する際には、これらの層のうち厚板Ｒf，Ｒbのいずれか一枚を残して他の層を切削する。段ボール板を折り曲げる際には、残した片方の厚板のみを折り曲げて、傾斜する各板の切削面（端面）を一致させて接着する。
【００２７】
蓋１３は、天板１３Ａと、側板１３Ｂ，１３Ｂと、妻板１３Ｃ，１３Ｃを有する。側板１３Ｂ，１３Ｂおよび妻板１３Ｃ，１３Ｃの板面上部には面取り部１３ｎが形成され、板面下部（開口端部）には折返し部１３ｍ（図３および図７参照）が形成されている。
【００２８】
蓋１３の展開紙Ｐ1を図３に示した。
展開紙Ｐ1は、矩形の天板１３Ａの横方向両側に縦Ｖ溝ｙ1を隔てて側板１３Ｂ，１３Ｂが設けられ、天板１３Ａの縦方向両側に横Ｖ溝ｘ1を隔てて妻板１３Ｃ，１３Ｃが設けられる。
側板１３Ｂ，１３Ｂおよび妻板１３Ｃ，１３Ｃの板上であって面取り部１３ｎを区切る境界には、縦Ｖ溝ｙ2と横Ｖ溝ｘ2とがそれぞれ一定の板幅で形成されている。
【００２９】
縦Ｖ溝ｙ1，ｘ1および横Ｖ溝ｙ2，ｘ2は、展開紙Ｐ1の板面にほぼ４５゜角の断面Ｖ字状に切削されて各板の境界線上に形成される。これにより、展開紙Ｐ1の各板は４５゜角で折れ曲がって蓋１３を形成することになる。
【００３０】
側板１３Ｂ，１３Ｂと妻板１３Ｃ，１３Ｃとの開口端部には、一定の板幅で折返し部１３ｍが設けられている。この折返し部１３ｍは、展開紙Ｐ1の縦方向または横方向の端部の紙片を、Ｗ溝（９０゜角の断面Ｖ字状のＶ溝を並設してなる溝：図５の符号ｘ3参照）により一定幅で折り返して形成されるもので、蓋１３の箱形状を安定させてその強度を高める役割を果たす。
【００３１】
図４に示すように、天板１３Ａは、縦枠片１３Ａｙ，１３Ａｙと、横枠片１３Ａｘ，１３Ａｘと、中蓋片１３Ａｚとに分割して形成される。
縦枠片１３Ａｙ，１３Ａｙは、天板１３Ａの横方向両側の各辺からその板面の内向きに一定の板幅で連なり、横枠片１３Ａｘ，１３Ａｘは、天板１３Ａの縦方向両側の各辺からその板面の内向きに縦枠片１３Ａｙと同じ板幅で連なっている。
【００３２】
縦枠片１３Ａｙ，１３Ａｙと横枠片１３Ａｘ，１３Ａｘの両端には、天板１３Ａの板面角部、すなわち天板１３Ａを平面方向から観て直角となる部分を４５゜に分断する鋭角端面ｆが形成されている。縦枠片１３Ａｙ，１３Ａｙと横枠片１３Ａｘ，１３Ａｘの鋭角端面ｆを互いに一致させて連結することで、天板１３Ａの四辺を含む矩形の枠体１３Ａｙ，１３Ａｙ，１３Ａｘ，１３Ａｘが形成される。
【００３３】
中蓋片１３Ａｚは、図３に示すように、枠体１３Ａｙ，１３Ａｙ，１３Ａｘ，１３Ａｘの内側に収まる寸法で矩形に形成される。中蓋片１３Ａｚの横寸法は、枠内側の横寸法と同一に設定され、中蓋片１３Ａｚの縦寸法は、枠内側の縦寸法から蓋１３の覗き窓Ｓの縦幅を除いた長さに設定される。
【００３４】
このように天板１３Ａが各板片に分割されることにより、展開紙Ｐ1が側板１３Ｂおよび縦枠片１３Ａｙを含む２個のパーツ、妻板１３Ｃおよび横枠片１３Ａｘを含む２個のパーツ、および中蓋片１３Ａｚを形成するパーツの合計５個のパーツに分離されることになる。
【００３５】
展開紙Ｐ1を作製する場合、展開紙Ｐ1の各パーツを別個に作製し、これらを合体させる。以下、その作製方法を説明する。
【００３６】
側板１３Ｂおよび縦枠片１３Ａｙを含む２個のパーツ、および妻板１３Ｃおよび横枠片１３Ａｘを含む２個のパーツについては、一定幅の共通の段ボール板を用いて作製することができる。
【００３７】
妻板１３Ｃおよび横枠片１３Ａｘを含むパーツを作製する場合は、図５に示すように、まず、妻板１３Ｃと横枠片１３の縦寸法を含む一定の板幅の段ボール板Ｑ1を準備し、この段ボール板Ｑ1の長さ方向に所定の板幅を保って横Ｖ溝ｘ1，ｘ2とＷ溝ｘ3を形成する。
なお、横Ｖ溝ｘ1，ｘ2およびＷ溝ｘ3は、切削機に専用の回転刃をセットし、段ボール板Ｑ1の板面上に回転刃を直線上に移動させて切削することにより形成することができる。この場合、溝間隔に合わせて必要な数の回転刃をセットして、平行な溝を複数同時に切削すると、１回の切削工程で各溝ｘ1，ｘ2，ｘ3を短時間で精度よく仕上げることができる。
【００３８】
次いで、段ボール板Ｑ1を横Ｖ溝ｘ1，ｘ2とＷ溝ｘ3に沿って折り曲げて、図６に示す折曲片を形成する。この折曲片の断面は、図６の端面図に示すように、妻板１３Ｃおよび横枠片１３Ａｘとを各溝に沿って折り曲げた断面と同一の形状をもつ。
この折曲片の横枠片１３Ａｘに相当する部分を上に向けて、その長さ方向に対し４５゜の角度を保って垂直平面ｆ1，ｆ1で折曲片を切断する。このとき、垂直平面ｆ1，ｆ1の間隔を、横枠片１３Ａｘの横寸法に一致させることで、妻板１３Ｃおよび横枠片１３Ａｘを含むパーツが切り出される。そして、このパーツの折り曲げ部分を元に戻して拡げると、図４に示す展開形状になる。
【００３９】
側板１３Ｂおよび縦枠片１３Ａｙを含むパーツを作製する場合についても、前述した段ボール板Ｑ1を用いる方法と同様な手順によることができる。この場合、段ボール板Ｑ1から作製した折曲片を垂直平面ｆ1，ｆ1で切断する際に、切断面の間隔を縦枠片１３Ａｙの縦寸法に一致させることで、側板１３Ｂおよび縦枠片１３Ａｙを含むパーツを切り出すことができる。そして、このパーツの折り曲げ部分を元に戻して拡げると、図４に示す展開形状になる。
【００４０】
このように展開紙のパーツのうち、縦枠片１３Ａｙおよび側板１３Ｂを含むパーツ、並びに横枠片１３Ａｘおよび妻板１３Ｃを含むパーツについては、その板幅とＶ溝の位置が一致するため、同一幅の段ボール板Ｑ1を用いて、この段ボール板Ｑ1の長さ方向に一定幅でＶ溝加工を施すことで、上記パーツを高い寸法精度で簡単に作製することができる。
【００４１】
また、展開紙のパーツの作製時に、一定幅の段ボール板Ｑ1を各Ｖ溝またはＷ溝に沿って折り曲げた状態で、この折曲片の天板部分を上に向け、天板１３Ａの板面角部を均等に分断する４５゜角の垂直平面ｆ1で切断すれば、この切断面がそのまま展開紙Ｐ1における四隅部分Ｋ1の端面になる。このため、面取り部１３ｎを有する展開紙Ｐ1の四隅部分Ｋ1における各板の端面を極めて簡単に仕上げることができる。
【００４２】
展開紙Ｐ1を構成するパーツのうち、中蓋片１３Ａｚについては、適当な段ボール板を準備して、中蓋片１３Ａｚの縦寸法および横寸法に合わせてカッター等で矩形に切断する。中蓋片１３Ａｚの四辺をその板面に対して垂直に切断することで、これらの端面が後述の天板１３Ａの枠体の内側端面に隙間なく連結されることになる。
【００４３】
展開紙Ｐ1の各パーツを合体させる方法としては、例えば水平な台の上に、各パーツを拡げた状態で、Ｖ溝側の面を上にして置き、縦枠片１３Ａｙ，１３Ａｙと横枠片１３Ａｘ，１３Ａｘの鋭角端面ｆ，ｆを合わせて接着し、矩形の枠体１３Ａｙ，１３Ａｙ，１３Ａｘ，１３Ａｘを組む。
次いで、この枠体１３Ａｙ，１３Ａｙ，１３Ａｘ，１３Ａｘの内側に中蓋片１３Ａｚを嵌め、覗き窓Ｓを確保する位置で枠体の端面に中蓋片１３Ａｚの端面を接着して固定する。これにより、図３に示すように、従来の展開紙Ｐ0と同様な形状の展開紙Ｐ1が完成する。
【００４４】
展開紙Ｐ1の組み立て時には、従来の展開紙Ｐ0と同様に、縦Ｖ溝ｙ1、ｙ2および横Ｖ溝ｘ1、ｘ2に沿って側板１３Ｂと妻板１３Ｃを折り曲げて各板の端面同士を接着すると、図１に示す箱状の蓋３が完成する。
【００４５】
なお、蓋１３の作製工程については、上記の手順に限定されることない。例えば図７に示すように、展開紙Ｐ1の中蓋片１３Ａｚを除く各パーツを予め縦Ｖ溝ｙ1，ｙ2および横Ｖ溝ｘ1，ｘ2に沿って折り曲げておき、これらのパーツを中蓋片１３Ａｚの四辺端面に連結するようにしてもよい。この場合、各パーツを天地逆さにして水平な台上において作業を行うと、天板１３Ａの板面に合わせて各パーツを正確に連結することができる。
【００４６】
このように本実施形態によれば、蓋１３の展開紙Ｐ1が、縦枠片１３Ａｙおよび側板１３Ｂを含むパーツと、横枠片１３Ａｘおよび妻板１３Ｃを含むパーツと、中蓋片１３Ａｚを含むパーツとに分割されるため、展開紙Ｐ1を作製するの各パーツ毎の取り扱いが容易で、加工作業を簡単に行える。これにより、専用の大型機を使用しなくとも、小型の切削加工機を用いて手軽に蓋１３を作製することができる。
【００４７】
また、展開紙Ｐ1の組み立て時には、同一平面上で縦枠片１３Ａｙと横枠片１３Ａｘの鋭角端面ｆ，ｆを合わせて１３Ａｙ，１３Ａｙ，１３Ａｘ，１３Ａｘを組むことで、各パーツを簡単に合体させることができる。このため、展開紙Ｐ1の組立作業が面倒になることもない。
【００４８】
さらに、展開紙Ｐ1によれば、天板１３Ａの各辺で縦Ｖ溝ｙ1，ｙ2と横Ｖ溝ｘ1，ｘ2に沿って側板１３Ｂと妻板１３Ｃが正確な寸法で折れ曲がるため、各板の端面を正確な位置で精度よく連結することができる。このため、天板１３Ａの各辺の連結角部における寸法精度を出しやすく、また、連結角部の強度を十分に確保して蓋１３の品質を高めることができる。
【００４９】
［第２実施形態］
本発明の第２実施形態を図８〜図１２に示した。
第２実施形態は、平面形状が八角形である段ボール棺に本発明を適用したものである。前述した第１実施形態では、平面形状が四角形である段ボール棺に本発明を適用したが、以下に説明するように、平面形状が八角形である段ボール棺にも本発明を適用することができる。このタイプの棺は、段ボール棺の平面方向から見た四隅部がカットされた形状を有しており、棺形状を構成する面が増えて高級感のある仕上がりとなる。
なお、第２実施形態およびその他の実施形態の図面においては、前記第１実施形態の構成部分と実質的な同一の構成部分には同一の符号を付す。
【００５０】
第２実施形態の段ボール棺２０は、平面方向から見た形状が八角形の棺本体１２と蓋１３とを有している（図８参照）。棺本体１２および蓋１３は、厚手の強化段ボール材からなるもので、蓋１３の上端に、矩形の覗き窓Ｓを有する蓋１３が開放可能に載置される。覗き窓Ｓには、第１実施形態と同様に窓蓋が嵌められる。
【００５１】
蓋１３は、天板１３Ａと、側板１３Ｂ，１３Ｂと、妻板１３Ｃ，１３Ｃを有する。側板１３Ｂ，１３Ｂおよび妻板１３Ｃ，１３Ｃの板面上部には面取り部１３ｎが形成され、板面下部（開口端部）には折返し部１３ｍ（図９参照）が形成されている。天板１３Ａの四隅部分には、側板１３Ｂと妻板１３Ｃとを平面で繋ぐ角部材１３Ｄが取り付けられている。
【００５２】
蓋１３のうち角部材１３Ｄを除く部分の展開紙Ｐ2を図９に示した。
展開紙Ｐ1は、矩形の天板１３Ａの横方向両側に縦Ｖ溝ｙ1を隔てて側板１３Ｂ，１３Ｂが設けられ、天板１３Ａの縦方向両側に横Ｖ溝ｘ1を隔てて妻板１３Ｃ，１３Ｃが設けられる。展開紙Ｐ1の四隅部分Ｋ2は、縦Ｖ溝ｙ1と横Ｖ溝ｘ1の中心線を延長する方向に、平面方向から観て９０゜の角度をなす垂直の端面を有している。
【００５３】
側板１３Ｂ，１３Ｂおよび妻板１３Ｃ，１３Ｃの板上であって面取り部１３ｎを区切る境界には、縦Ｖ溝ｙ2と横Ｖ溝ｘ2とがそれぞれ一定の板幅で形成されている。
縦Ｖ溝ｙ1，ｘ1および横Ｖ溝ｙ2，ｘ2は、展開紙Ｐ1の板面にほぼ４５゜角の断面Ｖ字状に切削されて各板の境界線上に形成されている。
【００５４】
図１０に示すように、天板１３Ａは、縦枠片１３Ａｙ，１３Ａｙと、横枠片１３Ａｘ，１３Ａｘと、中蓋片１３Ａｚとに分割して形成される。
縦枠片１３Ａｙ，１３Ａｙは、天板１３Ａの横方向両側の各辺からその板面の内向きに一定の板幅で連なり、横枠片１３Ａｘ，１３Ａｘは、天板１３Ａの縦方向両側の各辺からその板面の内向きに縦枠片１３Ａｙと同じ板幅で連なる。
【００５５】
縦枠片１３Ａｙ，１３Ａｙと横枠片１３Ａｘ，１３Ａｘの両端には、天板１３Ａの板面角部、すなわち天板１３Ａを平面方向から観て直角となる部分を４５゜に分断する鋭角端面ｆが形成されている。縦枠片１３Ａｙ，１３Ａｙと横枠片１３Ａｘ，１３Ａｘの鋭角端面ｆを互いに一致させて連結することで、天板１３Ａの四辺を含む矩形の枠体１３Ａｙ，１３Ａｙ，１３Ａｘ，１３Ａｘとなる。
【００５６】
中蓋片１３Ａｚは、図３に示すように、枠体１３Ａｙ，１３Ａｙ，１３Ａｘ，１３Ａｘの内側に収まる寸法で矩形に形成される。中蓋片１３Ａｚの横寸法は、枠内側の横寸法と同一に設定され、中蓋片１３Ａｚの縦寸法は、枠内側の縦寸法から蓋１３の覗き窓Ｓの縦幅を除いた長さに設定される。
【００５７】
このように天板１３Ａが各板片に分割されることにより、展開紙Ｐ2が側板１３Ｂおよび縦枠片１３Ａｙを含む２個のパーツ、妻板１３Ｃおよび横枠片１３Ａｘを含む２個のパーツ、および中蓋片１３Ａｚを含むパーツの合計５個のパーツに分離されることになる。
【００５８】
展開紙Ｐ2を作製する場合、第１実施形態と同様に、展開紙Ｐ2の各パーツを別個に作製し、これらを合体させる。
側板１３Ｂおよび縦枠片１３Ａｙを含む２個のパーツ、および妻板１３Ｃおよび横枠片１３Ａｘを含む２個のパーツについては、一定幅の共通の段ボール板を用いて作製することができる。
【００５９】
妻板１３Ｃおよび横枠片１３Ａｘを含むパーツを作製する場合、図１１に示すように、まず、妻板１３Ｃと横枠片１３の縦寸法を含む一定の板幅の段ボール板Ｑ2を準備し、この段ボール板Ｑ2の長さ方向に所定の板幅を保って横Ｖ溝ｘ1，ｘ2とＷ溝ｘ3を形成する。
【００６０】
次いで、段ボール板Ｑ2を横枠片１３Ａｘの長さ寸法（横寸法）に合わせて垂直平面ｆ2で切断し、この段ボール板の横枠片１３Ａｘに相当する部分の角部を、その長さ方向に対し４５゜の角度を保って垂直平面ｆ1，ｆ1で切断する。すると、図１０に示す展開形状の妻板１３Ｃおよび横枠片１３Ａｘを含むパーツが形成されることになる。
【００６１】
側板１３Ｂおよび縦枠片１３Ａｙを含むパーツを作製する場合も、前述した段ボール板Ｑ2を用いる方法と同様な手順によることができる。この場合、段ボール板Ｑ2を垂直平面ｆ2で切断する長さを、縦枠片１３Ａｙの長さ寸法（縦寸法）に一致させることで、側板１３Ｂおよび縦枠片１３Ａｙを含むパーツが形成される。
【００６２】
このように展開紙Ｐ2のパーツのうち、縦枠片１３Ａｙおよび側板１３Ｂを含むパーツと、横枠片１３Ａｘおよび妻板１３Ｃを含むパーツについては、その板幅とＶ溝の位置が一致するため、同一幅の段ボール板Ｑ2を用いて、この段ボール板Ｑ2の長さ方向に一定幅でＶ溝加工を施すことで、上記パーツを高い寸法精度で簡単に作製することができる。
【００６３】
展開紙Ｐ2を構成するパーツのうち、中蓋片１３Ａｚについては、第１実施形態と同様に作製することができる。すなわち、適当な段ボール板を準備して、中蓋片１３Ａｚの縦寸法および横寸法に合わせてカッター等で矩形に切断する。
【００６４】
展開紙Ｐ2の各パーツの合体は、第１実施形態と同様に、水平な台の上に、各パーツを溝加工面を上にして置き、天板１３Ａの縦枠片１３Ａｙ，１３Ａｙと横枠片１３Ａｘ，１３Ａｘの鋭角端面ｆ同士を接着して矩形の枠体を形成する。
次いで、この枠体の内側に中蓋片１３Ａｚを嵌め、覗き窓Ｓを確保する位置で枠体の端面に中蓋片１３Ａｚの端面を接着して固定すると、図９に示す展開紙Ｐ2となる。なお、図９においては、折返し部１３ｍが折り返されているが、折返し部１３ｍを折り返す順序は、展開紙Ｐ2の各パーツを合体させる前後のいずれでも構わない。
【００６５】
蓋１３の角部材１３Ｄについては、図１１に示す段ボール板Ｑ2のうち縦枠片１３Ａｙに相当する部分を、横Ｖ溝ｘ1の中心線で切り離した段ボール板を用いて作製する。図１２に示すように、残りの段ボール板Ｑ3を、横Ｖ溝ｘ2およびＷ溝ｘ3に沿って折り曲げ、この折曲片を平面方向から観て、その長さ方向に対し４５゜の角度を保って垂直平面ｆ4，ｆ4で切断する。これにより、展開紙Ｐ2の四隅部分Ｋ2の寸法に一致する角部材１３Ｄが得られる。
【００６６】
そして、展開紙Ｐ2の組み立て時に、側板１３Ｂと妻板１３Ｃを縦Ｖ溝ｙ1、ｙ2および横Ｖ溝ｘ1、ｘ2に沿って折り曲げ、展開紙Ｐ2の四隅部分Ｋ2の隙間の端面に、角部材１３Ｄの端面を接着すると、図８に示す箱状の蓋１３が完成する。
【００６７】
このように第２実施形態においても、蓋１３の展開紙Ｐ2が、天板１３Ａの縦枠片１３Ａｙおよび側板１３Ｂを含むパーツと、天板１３Ａの横枠片１３Ａｘおよび妻板１３Ｃを含むパーツと、中蓋片１３Ａｚを含むパーツとに分割されるため、展開紙Ｐ2を作製するの各パーツ毎の取り扱いが容易で、加工作業を簡単に行える。これにより、専用の大型機を使用しなくとも、小型の切削加工機を用いて手軽に段ボール棺２０を作製することができる。
【００６８】
また、展開紙Ｐ2の組み立て時には、同一平面上で縦枠片１３Ａｙと横枠片１３Ａｘの鋭角端面ｆ，ｆを合わせて枠体１３Ａｙ，１３Ａｙ，１３Ａｘ，１３Ａｘを組むことで、各パーツを簡単に合体させることができる。このため、展開紙Ｐ2の組立作業が面倒になることもない。
【００６９】
さらに、展開紙Ｐ2によれば、天板１３Ａの各辺で縦Ｖ溝ｙ1，ｙ2と横Ｖ溝ｘ1，ｘ2に沿って側板１３Ｂと妻板１３Ｃが正確な寸法で折れ曲がるため、各板の端面を正確な位置で精度よく連結することができる。このため、天板１３Ａの各辺の連結角部における寸法精度を出しやすく、また、連結角部の強度を十分に確保して蓋１３の品質を高めることができる。
【００７０】
［その他の実施形態］
以上、第１および第２実施形態を説明したが、本発明の実施形態はこれらに限られず、種々の変形・変更を伴ってもよい。
例えば図１３（Ａ）の蓋３０に示すように、面取り部１３ｎの板幅を拡大することにより、中蓋片１３Ａｚのサイズを縮小してもよい。中蓋片１３Ａｚの板幅を短くすることで、展開紙の全てのパーツを比較的幅の狭い段ボール板から作製することができる。
図１３（Ｂ）の蓋４０に示すように、面取り部１３ｎを省略してもよい。面取り部１３ｎを省略した構成によれば、折曲用のＶ溝の数を最小限に抑えることができ、展開紙の作製がさらに簡単になる。
図１３（Ｃ）の蓋５０に示すように、面取り部１３ｎを、角度の異なる複数の斜面で形成してもよい。このように面取り部１３ｎの斜面を増やすことで、蓋５０の立体感が向上し、段ボール棺の高級感をさらに高めることができる。
【００７１】
また、前記第１および第２実施形態では、枠体１３Ａｙ，１３Ａｙ，１３Ａｘ，１３Ａｘの内側端面に中蓋片１３Ａｚを連結する構成であるが、図１４（Ａ）の蓋６０、図１４（Ｂ）の蓋７０、および図１４（Ｃ）の蓋８０に示すように、この枠体の上面に中蓋片１３Ａｚの下面を接着して連結してもよい。
このような構成では、中蓋片１３Ａｚが枠体の頂面で支持されるため、天板部分の構成がより頑丈になる。また、枠体の内側寸法どおりに中蓋片１３Ａｚを作製する必要がなく、中蓋片１３Ａｚの作製を容易にすることができる。また、中蓋片１３Ａｚを好みの形状に変更して、立体的な複雑形状を天板１３Ａに採用することも可能になる。
【００７２】
さらに、図１５に示すように、段ボール棺の棺本体９０に本発明を適用することもできる。図１５の例では、棺本体９０の底板部分に、枠体１３Ａｙ，１３Ａｙ（１３Ａｘ，１３Ａｘ：図示省略）と中蓋片１３Ａｚからなる構造（天板構造）が採用されている。この場合、枠体の上面に中蓋片１３Ａｚの下面を連結することで、棺本体９０の耐荷重性能を十分に確保することができる。
【００７３】
その他、第１および第２実施形態では、側板および妻板に折返し部を設けているが、このような折返し部は必ずしも設ける必要はなく、必要に応じて省略してもよい。
また、展開紙を作製するための段ボール材は、三層強化段ボールに限られず、その他の多層段ボール材、ハニカム構造の段ボール材等を用いてもよい。
【図面の簡単な説明】
【００７４】
【図１】本発明の第１実施形態の段ボール棺を示す斜視図である。
【図２】同段ボール棺を示すもので図１のII−II線断面図およびＲ部分の拡大断面図である。
【図３】同段ボール棺の蓋の展開紙を示す平面図およびその破線方向の断面図である。
【図４】同展開紙をパーツ毎に分割した状態を示す平面図である。
【図５】同展開紙を作製するための段ボール板を示す平面図およびその破線方向の端面図である。
【図６】図５の段ボール板を折り曲げた状態を示す平面図およびその破線方向の端面図である。
【図７】同段ボール棺の蓋を示す分解斜視図である。
【図８】本発明の第２実施形態の段ボール棺を示す斜視図である。
【図９】同段ボール棺の蓋の展開紙を示す平面図およびその破線方向の断面図である。
【図１０】同展開紙をパーツ毎に分割した状態を示す平面図である。
【図１１】同展開紙を作製するための段ボール板を示す平面図およびその破線方向の端面図である。
【図１２】同展開紙の四隅部分における角部材の作製方法を説明するもので、段ボール板を折り曲げた状態を示す平面図およびその破線方向の端面図である。
【図１３】本発明の他の実施形態を説明するもので、面取り部分の各種変形例を示す断面図である。
【図１４】本発明の他の実施形態を説明するもので、天板部分の各種変形例を示す断面図である。
【図１５】本発明の他の実施形態を説明するもので、本発明による天板構造を適用した棺本体を示す断面図である。
【図１６】従来の段ボール棺を示す斜視図である。
【図１７】同段ボール棺の蓋の展開紙を示す平面図および破線方向の断面図である。
【符号の説明】
【００７５】
１０      段ボール棺（第１実施形態）
１２      棺本体
１３      蓋
１３Ａ    天板
１３Ａｙ  縦枠片
１３Ａｘ  横枠片
１３Ａｚ  中蓋片
１３ｎ    面取り部
１３ｍ    折返し部
１３Ｂ    側板
１３Ｃ    妻板
１３Ｄ    角部材
２０      段ボール棺（第２実施形態）
Ｓ      覗き窓
ｆ      鋭角端面
ｆ1〜ｆ4    垂直平面
Ｐ1，Ｐ2    展開紙
Ｑ1〜Ｑ3    段ボール板
ｘ1，ｘ2    横Ｖ溝
ｘ3        Ｗ溝
ｙ1，ｙ2    縦Ｖ溝
【図１】
2008161605.tif 000003
【図２】
2008161605.tif 000004
【図３】
2008161605.tif 000005
【図４】
2008161605.tif 000006
【図５】
2008161605.tif 000007
【図６】
2008161605.tif 000008
【図７】
2008161605.tif 000009
【図８】
2008161605.tif 000010
【図９】
2008161605.tif 000011
【図１０】
2008161605.tif 000012
【図１１】
2008161605.tif 000013
【図１２】
2008161605.tif 000014
【図１３】
2008161605.tif 000015
【図１４】
2008161605.tif 000016
【図１５】
2008161605.tif 000017
【図１６】
2008161605.tif 000018
【図１７】
2008161605.tif 000019